(57)【特許請求の範囲】
【請求項１】
カム面を有した移動自在なカムスライドと、このカムスライドのカム面に当接してカムスライドを前進させるカムドライバと、カムドライバの元の位置への復帰力をカムスライドに伝達してカムスライドを強制後退させる強制後退手段と、カムスライドを元の位置に復帰させる復帰手段と、カムスライドのカム面へのカムドライバの当接に先だってカムスライドを予備的に前進させる予備前進手段とを具備しており、強制後退手段は、カムスライド及びカムドライバのうちいずれか一方に形成された係合部と、一端がカムスライド及びカムドライバのうちいずれか他方に取り付けられ、他端に係合部に係合自在な係合部を有した係合部材とを具備しており、予備前進手段は、係合部材に形成された第一の案内カム面と、カムスライドのカム面へのカムドライバの当接に先だって第一の案内カム面に当接するように、カムスライド及びカムドライバのうちいずれか一方に設けられた第二の案内カム面と、カムスライド及びカムドライバのうちいずれか一方に回転自在に設けられたローラとを具備しており、ローラの円筒外周面を第二の案内カム面として用いており、第一の案内カム面と第二の案内カム面とは、カムスライドを予備的に前進させる際に、カムスライドのカム面の傾斜角より小さい衝突角をもって互いに衝突するように形成されているプレス金型用カム。
【請求項２】
第一の案内カム面は、平坦面又は曲面からなる請求項１に記載のプレス金型用カム。
【請求項３】
第一の案内カム面は、カムスライドのカム面の傾斜角より大きい傾斜角をもった平坦面からなる請求項１又は２に記載のプレス金型用カム。
【請求項４】
予備前進手段は、第一の案内カム面に続いて第三の案内カム面を更に具備しており、第三の案内カム面は、カムスライドのカム面の傾斜角より大きく、第一の案内カム面の傾斜角より小さい傾斜角をもった平坦面からなる請求項３に記載のプレス金型用カム。
【請求項５】
カム面を有した移動自在なカムスライドと、このカムスライドのカム面に当接してカムスライドを前進させるカムドライバと、カムドライバの元の位置への復帰力をカムスライドに伝達してカムスライドを強制後退させる強制後退手段と、カムスライドを元の位置に復帰させる復帰手段と、カムスライドのカム面へのカムドライバの当接に先だってカムスライドを予備的に前進させる予備前進手段とを具備しており、強制後退手段は、カムスライド及びカムドライバのうちいずれか一方に形成された係合部と、一端がカムスライド及びカムドライバのうちいずれか他方に取り付けられ、他端に係合部に係合自在な係合部を有した係合部材とを具備しており、予備前進手段は、係合部材に形成された第一の案内カム面と、カムスライドのカム面へのカムドライバの当接に先だって第一の案内カム面に当接するように、カムスライド及びカムドライバのうちいずれか一方に設けられた第二の案内カム面と、第二の案内カム面に続いて第三の案内カム面とを具備しており、第二の案内カム面は、カムスライドのカム面の傾斜角より大きい傾斜角をもった平坦面からなり、第三の案内カム面は、カムスライドのカム面の傾斜角より大きく、第二の案内カム面の傾斜角より小さい傾斜角をもった平坦面からなり、第一の案内カム面と第二の案内カム面とは、カムスライドを予備的に前進させる際に、カムスライドのカム面の傾斜角より小さい衝突角をもって互いに衝突するように形成されているプレス金型用カム。
【請求項６】
第一の案内カム面は、曲面又は円筒面からなる請求項５に記載のプレス金型用カム。
【請求項７】
円筒面は、回転自在である請求項６に記載のプレス金型用カム。
【請求項８】
復帰手段は、一端がカムスライドに当接して、当該カムスライドに形成された有底孔に配されたコイルスプリングと、このコイルスプリングを保持する保持手段とを具備しており、保持手段は、カムスライドを摺動自在に貫通し、かつコイルスプリングに取り囲まれて有底孔を通って伸長したロッドと、コイルスプリングの他端を受容すべく、有底孔側におけるロッドの一端部に設けられたばね受とを具備している請求項１から７のいずれか一項に記載のプレス金型用カム。
【請求項９】
カムスライドは、下置きカムタイプであり、下型側の基台には矩形凹所が形成されており、この矩形凹所にカムスライドが移動自在に配されている請求項１から８のいずれか一項に記載のプレス金型用カム。
【請求項１０】
カムスライドは、吊りカムタイプであり、上型側の基台には矩形凹所が形成されており、この矩形凹所にカムスライドが移動自在に配されている請求項１から８のいずれか一項に記載のプレス金型用カム。
【発明の詳細な説明】
【０００１】
【発明の属する技術分野】
本発明は、プレス金型用カムに関する。
【０００２】
【発明が解決しようとする課題】
プレス金型用カムは、通常、カム面を有した移動自在なカムスライドと、このカムスライドのカム面に当接してカムスライドを移動させるカムドライバと、カムドライバの元の位置への復帰力をカムスライドに伝達してカムスライドを強制後退させる強制後退手段と、カムスライドを元の位置に復帰させる復帰手段とを具備している。
【０００３】
ところでかかるプレス金型用カムでは、カムスライドを移動させる際には、上述の通り、カムドライバをカムスライドのカム面に当接させるのであるが、この当接において、カムドライバのカム面が静止したカムスライドのカム面に全面的に勢いよく衝突するため、大きな騒音と振動とを発生し、作業環境を劣悪なものとしている。
【０００４】
本発明は、前記諸点に鑑みてなされたものであって、その目的とするところは、カムドライバのカムスライドのカム面への衝突を和らげることができ、騒音と振動とを低減し得て、プレス作業環境を向上し得る静音構造のプレス金型用カムを提供することにある。
【０００５】
本発明の他の目的とするところは、静音構造である上に、型製作、保守、点検等において容易にカムスライドのみの抜き取りを行うことができ、加えて、占有スペースを小さくすることができるプレス金型用カムを提供することにある。
【０００６】
【課題を解決するための手段】
前記目的を達成するために本発明によれば、カム面を有した移動自在なカムスライドと、このカムスライドのカム面に当接してカムスライドを前進させるカムドライバと、カムドライバの元の位置への復帰力をカムスライドに伝達してカムスライドを強制後退させる強制後退手段と、カムスライドを元の位置に復帰させる復帰手段と、カムスライドのカム面へのカムドライバの当接に先だってカムスライドを予備的に前進させる予備前進手段とを具備しており、強制後退手段は、カムスライド及びカムドライバのうちいずれか一方に形成された係合部と、一端がカムスライド及びカムドライバのうちいずれか他方に取り付けられ、他端に係合部に係合自在な係合部を有した係合部材とを具備しており、予備前進手段は、係合部材に形成された第一の案内カム面と、カムスライドのカム面へのカムドライバの当接に先だって第一の案内カム面に当接するように、カムスライド及びカムドライバのうちいずれか一方に設けられた第二の案内カム面とを具備しており、第一の案内カム面と第二の案内カム面とは、カムスライドを予備的に前進させる際に、カムスライドのカム面の傾斜角より小さい衝突角をもって互いに衝突するように形成されているプレス金型用カムが提供される。
【０００７】
また発明によれば前記目的を達成するため、上述のプレス金型用カムにおいて、復帰手段は、一端がカムスライドに当接して、当該カムスライドに形成された有底孔に配されたコイルスプリングと、このコイルスプリングを保持する保持手段とを具備しており、保持手段は、カムスライドを摺動自在に貫通し、かつコイルスプリングに取り囲まれて有底孔を通って伸長したロッドと、コイルスプリングの他端を受容すべく、有底孔側におけるロッドの一端部に設けられたばね受とを具備している。
【０００８】
第一及び第二の案内カム面のそれぞれは、これに衝突する相手側の第二及び第一の案内カム面との関連で、平坦面又は曲面のいずれであってもよく、平坦面の場合、カムスライドのカム面の傾斜角より大きい傾斜角をもった平坦面からなっていてもよく、そして曲面の場合、凹曲面若しくは凸曲面又は円筒面からなっていてもよい。案内カム面が平坦面又は曲面からなる場合、案内カム面に続いて第三の案内カム面を更に具備させてもよく、この第三の案内カム面を、カムスライドのカム面の傾斜角より大きく、第一又は第二の案内カム面の傾斜角より小さい傾斜角をもった平坦面から構成してもよい。一方、第一又は第二の案内カム面が円筒面からなる場合、当該円筒面を回転自在としてもよい。
【０００９】
本発明の一つでは、予備前進手段は、カムスライド及びカムドライバのうちいずれか他方に回転自在に設けられたローラを具備しており、ローラの円筒外周面を第二の案内カム面として用いている。
【００１０】
本発明では、カムスライドは、下置きカムタイプであっても、吊りカムタイプであってもよく、下置きカムタイプの場合、下型側の基台には矩形凹所が形成されており、この矩形凹所にカムスライドが移動自在に配され、吊りカムタイプの場合、上型側の基台には矩形凹所が形成されており、この矩形凹所にカムスライドが移動自在に配されている。
【００１１】
【発明の実施の形態】
次に本発明の実施の形態を、図に示す好ましい実施例に基づいて更に詳細に説明する。なお、本発明はこれら実施例に何等限定されないのである。
【００１２】
【実施例】
図１及び図２において、本例のプレス金型用カム１は、カム面２を有したＸ方向（水平方向）に移動自在なカムスライド３と、カムスライド３のカム面２に当接してカムスライド３を前進（図１において右側に移動）させるカムドライバ４と、カムドライバ４の元の位置（図１に示す位置）への復帰力をカムスライド３に伝達してカムスライド３を強制後退（後述する図５に示す位置から左側への移動）させる強制後退手段５と、カムスライド３を元の位置（図１に示す位置）に復帰させる復帰手段６と、カムスライド３のカム面２へのカムドライバ４の当接に先だってカムスライド３を予備的に前進させる予備前進手段７とを具備している。
【００１３】
カムスライド３は、下部に有底孔１１を有した本体１２と、本体１２の下方の底壁１３と両側壁１４及び１５とのそれぞれにねじ又はボルト１６等に取り付けられた滑り材１７、１８及び１９とを具備している。本例のカムスライド３は、下置きカムタイプであり、下型の基台２１には矩形凹所２２が形成されており、矩形凹所２２にカムスライド３がＸ方向に移動自在に配されており、滑り材１７、１８及び１９は、矩形凹所２２の底壁２３と両側壁２４及び２５とにそれぞれＸ方向に摺動自在に当接している。本体１２の前面２６に、切刃等の工具が取り付けられる。
【００１４】
カムドライバ４は、上型の基台３１に取り付けられた本体３２と、本体３２の斜面にねじ又はボルト等により取り付けられた滑り材３３とを具備しており、滑り材３３の外面がカムスライド３のカム面２に当接するカム面３４を構成している。
【００１５】
強制後退手段５は、カムスライド３及びカムドライバ４のうちいずれか一方、本例ではカムドライバ４の両側面４１（一方は図示せず）にそれぞれ一体的に形成された突部４３からなる係合部４４と、一端４５がカムスライド３及びカムドライバ４のうちいずれか他方、本例ではカムスライド３の本体１２の上方の両側面４６及び４７に取り付けられ、他端４８に係合部４４にそれぞれ係合自在な突部４９からなる係合部５０を有した係合部材５１とを具備している。係合部４４と係合部５０との係合面５５及び５６は、カム面２の傾斜角αと実質同一の傾斜角βをもって形成されている。
【００１６】
復帰手段６は、一端６１が有底孔１１においてカムスライド３の本体１２に当接して、当該カムスライド３に形成された有底孔１１に配されたコイルスプリング６２と、コイルスプリング６２を保持する保持手段６３とを具備している。保持手段６３は、カムスライド３の本体１２に形成された貫通孔６４を摺動自在に貫通し、かつコイルスプリング６２に取り囲まれて有底孔１１を通って伸長したロッド６５と、コイルスプリング６２の他端６６を受容すべく、有底孔１１側におけるロッド６５の一端部６７に螺合して設けられたばね受６８と、ロッド６５の段部６９とばね受６８との間に配されたカラー７０とを具備している。貫通孔６４において、ロッド６５と本体１２との間には、カムスライド３のＸ方向の移動を滑らかにするブッシュ７１が本体１２に固着されて設けられている。ロッド６５の他端部７２には、本体１２からのロッド６５の抜けを防止する膨大部７３が形成されており、本体１２には、カムスライド３が元の位置に復帰された際に膨大部７３を受容する凹所７４が形成されている。ロッド６５は、矩形凹所２２の前壁７５と後壁７６との間に配されており、前壁７５にばね受６８が当接し得るようになっており、後壁７６との間に、隙間Ｇをもって膨大部７３が配されている。
【００１７】
カムスライド３の本体１２の下方の両側壁１４及び１５にはそれぞれ、段部７７及び７８が形成されており、段部７７及び７８にそれぞれ係合して、カムスライド３をＸ方向に移動自在に保持する保持板７９がねじ又はボルト８０等により基台２１に固着されて設けられている。
【００１８】
予備前進手段７は、係合部材５１の他端４８上面に形成された第一の案内カム面８１と、カムドライバ４の本体３２に回転自在に設けられたローラ８２とを具備しており、回転自在なローラ８２の円筒外周面８３が第二の案内カム面８４として構成されている。ローラ８２は、カムスライド３のカム面２へのカム面３４の当接に先だってその円筒外周面８３が案内カム面８１に当接するように、カムドライバ４に設けられており、案内カム面８１は、カムスライド３のカム面２の傾斜角αより大きい傾斜角γをもった平坦面からなり、これにより案内カム面８１と案内カム面８４とは、カムスライド３を予備的に前進させる際に、カムスライド３のカム面２の傾斜角より小さい衝突角をもって互いに衝突するようになっている。係合部材５１の他端４８上面には、案内カム面８１に続いて第三の案内カム面８５が形成されており、案内カム面８５は、カムスライド３のカム面２の傾斜角より大きく、案内カム面８１の傾斜角より小さい傾斜角をもった平坦面からなっている。
【００１９】
以上のように下型の基台２１に置かれてなる下置きタイプのカムスライド３を具備したプレス金型用カム１では、図１に示すように、カムドライバ４が上昇位置に配されている際には、カムスライド３は、コイルスプリング６２の弾性力により元の位置に復帰されている。カムドライバ４が油圧ラム等の作動により鉛直方向において下降されると、先ず、図３に示すように、ローラ８２の円筒外周面８３が案内カム面８１に当接する。案内カム面８１がカムスライド３のカム面２の傾斜角αより大きい傾斜角γをもった平坦面からなるため、ローラ８２は、その円筒外周面８３において、カムスライド３のカム面２の傾斜角より小さい衝突角をもって案内カム面８１に衝突し、その後、案内カム面８１上の回転では、低速でカムスライド３をコイルスプリング６２の弾性力に抗して前進させる。カムドライバ４の下降と共にカムスライド３が低速移動されて、ローラ８２が案内カム面８５に至って、図４に示すように、この上を回転し始めると、カムドライバ４のカム面３４がカムスライド３のカム面２に当接し、これによりカムドライバ４の更なる下降と共にカムスライド３は、コイルスプリング６２の弾性力に抗してＸ方向により高速で移動されて、これと共に、係合部５０の係合部４４への係合を生起させて、図５に示す位置に配される。カムスライド３のＸ方向の移動において、カムスライド３の前面２６に装着された工具により、工作物に穴明け等を含むプレス加工が施される。
【００２０】
プレス加工完了後、カムドライバ４が上昇されることにより、図１に示すように、カムスライド３もまたコイルスプリング６２の弾性力より元の位置に復帰される。カムドライバ４の初期上昇においては、係合面５５と５６との間に相対的滑りが生じて、係合面５６は係合面５５から外れるが、この期間、カムドライバ４の上昇力が係合部材５１を介してカムスライド３に伝達されて、カムスライド３は強制的に元の位置に向かって移動される。このカムスライド３の強制的な移動は、工具が工作物から容易に離脱しない場合に行われ、通常、カムスライド３はコイルスプリング６２の弾性力により元の位置に移動される。
【００２１】
ところでプレス金型用カム１では、以上のように、カムスライド３のカム面２の傾斜角αより小さい衝突角をもってローラ８２をその円筒外周面８３において案内カム面８１に衝突させるようにしているため、衝突音及び振動を小さくすることができ、また、カムドライバ４のカム面３４を既に移動するカムスライド３のカム面２に当接させるようにしているため、これによってもカム面３４のカム面２への衝突音を小さくすることができる上に、衝突による振動を低減し得る。
【００２２】
更にプレス金型用カム１では、ねじ又はボルト８０等を緩めて保持板７９を取り外すことにより、カムスライド３を基台２１から簡単に抜き取ることができ、カムスライド３の取付け、取外しを極めて簡単、容易に行うことができる。また、本体１２の底壁１３と両側壁１４及び１５とのそれぞれに滑り材１７、１８及び１９を取り付けて、これらによりカムスライド３をＸ方向に移動自在に支持し得るため、カムスライド３のＸ方向の移動が安定になされ、而してカムスライド３による加工が正確になされる。しかも復帰手段６をほぼカムスライド３の下部に装着しているため、占有スペースを小さくすることができ、コンパクトなプレス金型用カムを提供することができる。
【００２３】
以上の例はカムスライド３を下置きカムタイプで構成したプレス金型用カムであるが、これに代えて、図６及び図７に示すように、カムスライド３を、吊りカムタイプで構成してもよい。図６及び図７に示すプレス金型用カム９１では、カムドライバ４は下型の基台２１に取り付けられ、上型側の基台３１に矩形凹所２３が形成され、矩形凹所２３に、上述と同様にして、カムスライド３がＹ方向に移動自在に配されてている。その他はプレス金型用カム１と同様に形成されている。
【００２４】
プレス金型用カム９１では、カムスライド３が基台３１の鉛直方向における下降及び上昇と共に同じく下降及び上昇され、この下降及び上昇においてカムスライド３がＹ方向に移動されて、これによりプレス金型用カム１と同様の作用効果を奏し得る。
【００２５】
なお、図６に示すように、案内カム面８１と８５とを、互いに滑らかに連続して形成してもよい。
【００２６】
【発明の効果】
以上のように本発明によれば、カムドライバのカムスライドのカム面への衝突を和らげることができ、騒音と振動とを低減し得て、プレス作業環境を向上し得る静音構造のプレス金型用カムを提供することができる。また、静音構造とし得る上に、型製作、保守、点検等において容易にカムスライドのみの抜き取りを行うことができ、加えて、占有スペースを小さくすることができる。
【図面の簡単な説明】
【図１】本発明の好ましい一実施例の側面説明図である。
【図２】図１に示す実施例の正面説明図ある。
【図３】図１に示す実施例の動作説明図である。
【図４】図１に示す実施例の動作説明図である。
【図５】図１に示す実施例の動作説明図である。
【図６】本発明の好ましい他の実施例の側面説明図である。
【図７】図６に示す実施例の正面説明図である。
【符号の説明】
１  プレス金型用カム
２  カム面
３  カムスライド
４  カムドライバ
５  強制後退手段
６  復帰手段
７  予備前進手段
【図１】
0003624485.tif 000002
【図２】
0003624485.tif 000003
【図３】
0003624485.tif 000004
【図４】
0003624485.tif 000005
【図５】
0003624485.tif 000006
【図６】
0003624485.tif 000007
【図７】
0003624485.tif 000008